(57)【要約】【課題】  ５本の手の指の機能、特に人差し指の機能を十分に生かすと共に、手首の機能も十分に発揮させ、腕の動きも柔軟にフオームを大きくでき、正確でコントロールの良い打球ができるばかりでなく、初心者や卓球によるリハビリをする人にとっても扱いやすく、手に優しい快適な卓球ラケットを提供できる。【解決手段】  卓球ラケットの打球面とグリップの中間に括れを入れ、グリップには４本の指を通す孔を設け、該孔の人差し指を通す孔は、第一関節部当たりに、残り３本の指の孔は第二関節部当たりに設け、該グリップには、中指の第三関節部の内側に当たる部分を最も厚くして流面形の形状を備え、グリップの中央部には適当な大きさと形状を備えた孔を設ける。【選択図】  図１
2005058703.tif 000002
【特許請求の範囲】
【請求項１】
ラケット本体（１）の打球面（２）とグリップ（３）の中間に括れ（４）を入れ、該グリップ（３）に人差し指、中指、薬指、小指を通す４個の孔（５）（６）（７）（８）を設けた新型の卓球用ラケット
【請求項２】
イ．打球面（２）とグリップ（３）の中間に括れ（４）を入れ、
ロ．グリップ（３）に人差し指の第一関節部から第二関節部に至るライン上の適当なところに孔（５）または孔（５−１）と、中指、薬指、小指を通す３個の孔（６）（７）（８）を設け、
ハ．グリップ（３）の中指第３関節部の内側に当たる部分（９）を最も厚くし、他の部分はテーパ状（１０）に薄くしながら、流面形を有し、
ニ．グリップ（３）の中央に適当な大きさと形状を備えた孔（１１）を１個若しくは複数個備えている新型の卓球用ラケット。
【請求項３】
製造行程が、
イ．打球面（２）とグリップ（３）の中間に括れ（４）を入れた新型の卓球用ラケット本体（１）を平板で作り、
ロ．グリップ（３）に、人差し指、中指、薬指、小指の４個の孔（５）（６）（７）（８）の位置決めをするため、代表的な手を決めて、親指と中指の指先が触れる程度に中指・薬指・小指を卵を軽く握るような具合に曲げ（１２）、手の甲を紙の上に置いて（図１３）、手の形状を筆記具でなぞって手形（１７）をとったものを、グリップ（３）の適当な位置に置き（図４）、人差し指の第一関節部と、中指・薬指・小指の第二関節部当たりに孔の中心がくるようにマークして、台形状の孔（５）（６）（７）（８）をあけ、
ハ．台形状の孔（５）（６）（７）（８）をあけたグリップ（３）を元にして、表面グリップピース（１３）と裏面グリップピース（１５）をつくり、
ニ．グリップ（３）の表面に表面グリップピース（１３）を、裏面に裏面グリップピース（１５）を固着することによる新型ラケットの製造方法。
【発明の詳細な説明】
【技術分野】
【０００１】  本発明は、卓球ラケットに関する。
【背景技術】
【０００２】  従来の卓球ラケットは、ペンホルダー、シェイクハンド及び卵形状のものがあり、卵形状のものはグリップに４本の指を通す孔があるため、グリップをしっかり握りやすく、掌で打球する感覚が得られるにも拘わらず、一般には主にシェイクハンドが普及しており、構造がシンプルでコストが安いという利点がある。
【特許文献１】実用新案公報「実公平６−３０２１２」
【発明の開示】
【発明が解決しようとする課題】
【０００３】  従来の卓球ラケットは、グリップは単に握るだけでのもので、手の指の機能が十分に発揮できる構造を備えていないばりでなく、手首が疲れ、掌も汗ばみ、又、腕の動きだけに頼って打球しなければならなかった。更に、打球面が腕の中心軸方向に対して約２０度外側に開くため、正確でコントロールの良い打球が出来ないなど、初心者や卓球によるリハビリをする人にとっては扱いづらく親しみ難い等の問題があった。
本発明は、５本の手の指の機能、特に人差し指の機能を十分に生かすと共に、手首の機能も十分に発揮させ、腕の動きも柔軟にフオームを大きくでき、正確でコントロールの良い打球ができるばかりでなく、初心者や卓球によるリハビリをする人にとっても扱いやすく、手に優しい快適な卓球ラケットを提供しょうとするものである。
【問題を解決するための手段】
【０００４】  打球面（２）とグリップ（３）の中間に括れ（４）を入れ、該グリップ（３）に人差し指、中指、薬指、小指を通す４個の孔（５）（６）（７）（８）を設けた新型の卓球ラケットである。
【０００５】  括れ（４）は、グリップ（３）の中心点（Ａ）より打球面の外縁に接線（ＡＢ）を引いたとき、括れ（４）の外縁の線が接線（ＡＢ）上の付近にくるようにすると、打球の衝撃に耐える剛性を損なわずにラケット本体（１）の重量を軽くすることができ、美感をも起こすことができる。
【０００６】  グリップ（３）に設ける４個の孔（５）（６）（７）（８）の内、一指し指を通す孔（５）は第一関節部から第２関節部に至るライン上の任意の位置に設けるが、第一関節部に位置する孔（５）が、第二関節部に位置する孔（５−１）よりも人差し指の指先に力と神経を集中しやすく、打球をコントロールしやすい。
【０００７】  グリップ（３）の適当な位置に設ける４個の孔５）（６）（７）（８）の内、中指、薬指、小指を通す３個の孔（６）（７）（８）は、それぞれ第一関節部から第２関節部に至るライン上の第２関節部に近い位置が好ましい。
【０００８】  グリップ（３）の立体的形状は、中指第３関節の内側に当たる部分（９）を最も厚く、他の部分はテーパ状（１０）に次第に薄くしながら流面形にすることにより、その厚みに応じて、打球面（２）が腕の中心軸に平行になるように近づく、そこで、テーパ状（１０）の傾斜角度を約２０度にすると、打球面（２）が腕の中心軸線上にくるので、より打ちやすくなり、正確な打球を得ることができる。
【０００９】  中指、薬指を通す２個の孔（６）（７）は逆台形状が良く、これは、グリップの限られたスペースの中で最大限に孔を大きくでき、指が入れやすくグリップが握り易くなり、また美感の面からも安定感が増してくる。
【００１０】  グリップ（３）の中央に適当な大きさと形状を備えた孔（１１）は、掌の汗を発散し易くし、重量も軽減でき、アニメや動物などを形取った形状の孔であれば、興味が湧き、愛着も生まれ、卓球への感心が芽生えてくる。
【発明の効果】
【００１１】  本発明は、打球面とグリップの中間に括れを入れることにより、打球の衝撃による剛性を損なわず、卓球ラケット本体の重量を軽減でき、美感さえも起こさせる。
グリップに４本の指を通す孔を設けるとき、人差し指の孔は第一関節部の位置に設けたことによって、人差し指の指先に力と神経を集中でき、このことによって、５本の指先の機能を余すところなく十分に生かせるので、快適なまでにコントロールのよい打球が楽しめる。
更に、親指を括れのところに置くことによって、打球面の中心軸が腕の中心軸の延長線上に位置するので、しっかりグリップを握ったままで、手首を自在に効かせながら、遠方のボールが取りやすくなり、グリップの効果がみられる。
グリップの中指第３関節部の内側に当たる部分を最も厚くし、他の部分はテーパ状に薄くしながら、流面形の形状を備えることにより、腕の中心軸と打球面が一直線上にくるので、フォーもバックのときも大きな打球フォームがとれるので、手首が疲れず、コントロールが一層良くなり、より正確な打球が得られる。
グリップの中央に適当な大きさと形状を備えた孔を備えることにより、グリップ部の重量を軽減でき、また、掌の汗を発散し易くなり快適な打球が楽しめる。孔の形状は、アニメや動物を形取ったものであれば、楽しさが増す。
グリップの中央を空洞にして、中央に適当な孔を開ければ、更に、重量を軽減し、汗の発散が一層よくなる。
以上のように、指先の機能を十分に発揮させ、手首を自在に活用し、手首が疲れず、コントロールしやすいので、熟練者はもちろんのこと、初心者や卓球を使ってリハビリする人でも楽しく容易に卓球でき、快適で手に優しい新型の卓球ラケットが提供できる。
【発明を実施するための最良の形態・実施例】
【００１２】  発明の実施の形態を実施例にもとずき図面を参照して説明する。
図１の正面図において、卓球ラケット本体（１）の上部に位置する打球面（２）と、下部に位置するグリップ（３）の中間に括れ（４）を入れ、該グリップ（３）に人差し指、中指、薬指、小指を通す４個の孔（５）（６）（７）（８）を設ける。
【００１３】  括れ（４）は、図１においてグリップの中心点Ａより打球面の外縁へ接線ＡＢを引いたとき、括れ（４）の中央付近の外縁が接線（ＡＢ）上にくるのが望ましい。これは、打球に耐える剛性を損なわずに美感を得ることができるからである。
【００１４】  図４は本発明の卓球ラケットのグリップを握った状態を示し、人差し指を通す孔（５）は第一関節部の当たりが最も望ましいが、第一関節部に位置する孔（５）と第２関節部に位置する孔（５−１）を結ぶライン上の任意の位置でも良い。第１関節部に近い方が、人差し指の指先はもちろんのこと、他の指の指先にも、力と神経を集中でき、正確で、コントロールの良い打球が得られる。
【００１５】  中指、薬指を通す孔（６）（７）は逆台形状にすると、限られたスペースの中で、指が通しやすくなり、また、指の回りに余裕ができるので、窮屈さが解消し、指をサポートされている感じで快適な握りが得られる。
【００１６】  図２の平面図において、グリップ（３）の中指第３関節部の内側に当たる部分（９）を最も厚く、他の部分はテーパ状に次第に薄くしながら、ズングリした流面形状を備えている。
【００１７】  図６は、グリップ（３）の左側面図を示す。グリップ裏底面ＣＥとグリップ表面の流線形状部の中央部との接線ＣＤがなす最大角度は、後記理由により、２０度程度が望ましく、グリップ全体が流面形状を備えている。
【００１８】  図１１において、人差し指を通す孔（５）を第１関節部の位置に設けて、図６のグリップ裏底面ＣＥとテーパ状の中央部の接線（ＣＤ）がなす角度を２０度程度にしたグリップ（３）を有する卓球ラケット（１）を握ったときの右側面図を示す。即ち、腕の中心軸と打球面が一直線上にくることがわかる。従って、フオーもバックのときも、腕の動きを思いっきり大きくすることができるので、安定したフォームが得られ、手首が疲れず、更に、人差し指の第１関節部に力と神経が集中できるので、正確でコントロールしやすい卓球ラケットが得られる。
【００１９】  図１２は、人差し指を通す孔（５−１）を第２関節部の位置に設け、グリップ裏底面（ＣＥ）とテーパ状の中央部の接線（ＣＤ）がなす角度を０度にしたとき、所謂、平坦なグリップを握ったときの右側面図を示す。即ち、明らかに腕の中心軸に対し、打球面の中心軸が約２０度外側に開くことがわかる。従って、掌にグリップが平行になるように密着するので、掌で打球する間隔が得られる。
【００２０】  図４において、グリップ（３）の中央に適当な大きさと形状を備えた孔（１１）は、掌の汗を発散し易くし、重量を軽減できる。また、アニメや動物などを形取った形状の孔にすれば、遊び心や楽しさを得られ、更に、ユニークな美感を備えることになる。
【００２１】  図３は、本発明の卓球用ラケットの斜視図で、グリップ（３）の重量を更に軽減するために、中央部を空洞にして孔（１１）を設けたものである。
【００２２】  新型ラケットを製造する方法は、
イ．打球面（２）とグリップ（３）の中間に括れ（４）を入れた新型の卓球用ラケット本体（１）を適当な厚さの板で作り、
ロ．グリップ（３）に人差し指、中指、薬指、小指通す４個の孔（５）（６）（７）（８）をドリル又は打抜きであけ、
ハ．グリップ（３）に、図７に示すような、グリップの表面ピース（１３）と、図９に示すような、グリップの裏面ピース（１５）を両面から固着すれば新型の卓球用ラケットが製造できる。
【００２３】  図５は、グリップ（３）に人差し指、中指、薬指、小指通す４個の孔（５）（６）（７）（８）の位置決めをするときの代表的な手の形を示し、代表的な手を決めて、親指と中指の指先が触れる程度に中指・薬指・小指を卵を軽く握るような具合に曲げているところを示している図である。
【００２４】  図１３は、代表的な手について、手の甲を紙の上に置き、手の形状を筆記具でなぞって手形（１７）をとったところを示す。
【００２５】  図１４は、手形（１７）をグリップ（３）の適当な位置に置き、人差し指の第一関節部と、中指・薬指・小指の第二関節部当たりに孔（５）（６）（７）（８）の中心がくるようにマークしたところを示す。
【図面の簡単な説明】
【図１】  卓球ラケットの正面図である。
【図２】  卓球ラケットの低面図である。
【図３】  卓球ラケットの斜視図である。
【図４】  卓球ラケットのグリップを握った状態を示した図で、人差し指の第一関節部に位置する孔（５）人差し指の第二関節部に位置する孔（５−）の位置関係を示す図である。
【図５】  卓球ラケットのグリップ（３）に人差し指、中指、薬指、小指通す４個の孔（５）（６）（７）（８）の位置決めをするときの代表的な手の形を示した図である。
【図６】  グリップの左側面図を示す。
【図７】  グリップの表面ピースの正面図である。
【図８】  グリップの表面ピース左側面図である
【図９】  グリップの裏面ピースの正面図である。
【図１０】  グリップの裏面ピースの右側面図である。
【図１１】  本発明の請求項２記載の新型の卓球ラケットを握ったときの右側面図である。
【図１２】  本発明の請求項１記載の新型の卓球ラケットを握ったときの右側面図である。
【図１３】  代表的な手についての外形を取った手形図である。
【図１４】  卓球ラケットのグリップの適当な位置に手形図を置いて、人差し指の第一関節部と、中指・薬指・小指の第二関節部当たりに孔（５）（６）（７）（８）の中心がくるようにマークしたところを示す図である。
【符号の説明】
１．卓球ラケット
３．グリップ
４．括れ
５．人差し指を入れる孔
６．中指を入れる孔
７．薬指を入れる孔
８．小指を入れる孔
９．グリップの中指第３関節部の内側に当たる部分
１０．テーパ部
１１．グリップの中央に適当な大きさと形状を備えた孔
１２．代表的な手について、手形を取るときの手の形
１３．グリップの表面ピース
１４．グリップの表面ピースの右側面図
１５．グリップの裏面ピースの正面図
１６．グリップの裏面ピースの右側面図
１７．手形図
Ａ．グリップの中心点
ＡＢ．接線
ＣＤ．グリップ裏底面（ＣＦ）よりグリップのテーパ部に引いた接線
ＣＥ．グリップ裏底面に引いた底辺
【図１】
2005058703.tif 000003
【図２】
2005058703.tif 000004
【図３】
2005058703.tif 000005
【図４】
2005058703.tif 000006
【図５】
2005058703.tif 000007
【図６】
2005058703.tif 000008
【図７】
2005058703.tif 000009
【図８】
2005058703.tif 000010
【図９】
2005058703.tif 000011
【図１０】
2005058703.tif 000012
【図１１】
2005058703.tif 000013
【図１２】
2005058703.tif 000014
【図１３】
2005058703.tif 000015
【図１４】
2005058703.tif 000016